(57)【要約】【課題】重要文書４が変造、偽造、改ざんされたり、包袋６中の内容物件５が入れ替えられたりしたことを、容易かつ確実に知ることができ、その真偽を安価な手段で判別することによって不利な結果を有効に回避することができる重要文書又は包袋の綴じ方法。【解決手段】ステープル１の表面に文字、数字、記号等の特定情報２をレーザー加工により刻設し、上記ステープル１で重要文書４又は重要物件５を収納した包袋６を綴じることを特徴とする。【選択図】図１
2006142409.tif 000002
【特許請求の範囲】
【請求項１】
ステープルの表面に文字、数字、記号等の特定情報をレーザー加工により刻設し、上記ステープルで重要文書又は重要物件を収納した包袋を綴じることを特徴とする重要文書又は包袋の綴じ方法。
【発明の詳細な説明】
【技術分野】
【０００１】
本発明は、特別のステープルを使用して綴じることによって偽造、変造、改ざんなどを防ぐ重要文書又は包袋の綴じ方法に関するものである。
【背景技術】
【０００２】
一般に、企業間で基本取引契約書を取り交わす場合や、ハードディスク、ＤＶＤ、ＭＯ等の記録媒体に記録された秘密情報や社内秘密文書などを包袋に入れて管理する場合などにおいては、秘密が保持されることが重要である。もちろん、取引契約書のような重要文書では印鑑が押印され、包袋もステープルでしっかりと綴じられ、容易には内容が変えられないようになっている。
【０００３】
しかし、最近は印鑑を作る技術が進んでおり、コンピュータを使って人間の目では識別できないような精巧な印鑑を偽造することが可能になっており、またステープルを外して再び同じ位置に打ち込むことは不可能ではない。したがって、たとえば重要文書のステープルを外して綴じられた書面の一部を差し替えて偽造印鑑を押印したり、内容物の一部を盗んで再び綴じればほとんどわからない。全ページを代えて偽造印鑑を押すこともできる。包袋の口からステープルを外して内容物を入れ替え、再び同じ位置にステープルを打つことなどそれほど難しい作業ではない。
【０００４】
このように、悪意のある者が重要文書などのある位置に接近することができれば、偽造、変造、改ざんなどは必ずしも不可能ではなく、印鑑の押印などは最近では同一性を保証できなくなっているのが現状である。
【０００５】
このような不都合に対応するため、透かしを用いたり、電子キーや暗号などを利用して文書、包袋などの重要な情報管理を行なう技術が知られているが、ステープルに何かを表示することはなく、せいぜい連結ステープルに色をつける程度のことであった。
【特許文献１】特開平７−３１０７１６号公報
【発明の開示】
【発明が解決しようとする課題】
【０００６】
しかしながら、これらの技術は複雑な装置を用いることが多く、高価にならざるを得たいという問題点がある。
【０００７】
本発明は上記問題点を解消し、重要文書や重要物件を収納した包袋が変造、偽造、改ざんされたり、内容物が入れ替えられたりしたことを、容易かつ確実に知ることができ、その真偽を安価な手段で判別することによって不利な結果を有効に回避することができる重要文書又は包袋の綴じ方法を提供することをその課題とする。
【課題を解決するための手段】
【０００８】
本発明は、ステープルの表面に文字、数字、記号等の特定情報をレーザー加工により刻設し、上記ステープルで重要文書又は包袋を綴じることを最も主要な特徴とする。
【発明の効果】
【０００９】
本発明によれば、ステープル自体は非常に小さいので、その表面に刻設表示された文字、数字、記号等の特定情報は微小であり、肉眼で読み取ることはできない。ステープルの裏面（紙に接面する側の面）に表示されている場合は、目視さえできない。したがって、ステープルを外しても、それが特別のステープルであることさえ気がつくことは稀である。文書や包袋の内容を偽造、変造または改ざんするためには、ステープルを外す必要があるが、ステープルは特定のステープルであるから、ステープルを替えれば改ざん等が行なわれたことを知ることができる。文書を全部代えた場合も、ステープルが替わっているので、容易に真偽を判別することができる。
【００１０】
したがって、重要文書や包袋が変造、偽造、改ざんされたり、内容物が入れ替えられたりしたことを、容易かつ確実に知ることができ、その真偽を安価な手段で判別することによって不利な結果を有効に回避することができる。
【発明を実施するための最良の形態】
【００１１】
図１は本発明法に係るステープルを示すもので、同図（ａ）において符号１はステープルである。ステープル１には文字、数字、記号等により、会社名、部課名、整理番号、管理番号等の情報２が刻設されている。このような特定情報２の刻設はレーザー加工により行なうことができる。レーザー光３を絞れば、微小な情報２も刻設することができる。通常のステープル１の幅は約０、５ｍｍであり、現在の技術ではレーザー光によって０、１ｍｍ程度の大きさの文字、記号等を刻設することが可能であるから、かなりの数の情報２をステープル１上に表示することができるだけでなく、数字や文字のフォントなども特別のものにすることが可能である。同図（ｂ）は上記ステープル１を連結させてステープラに装填できるようにした連結ステープルを示している。
【００１２】
なお、特定情報２はステープル１のクラウン部1ａの表側に刻設するほか、図２（ａ）のように裏側（紙に接面する側の面）でもよく、その表示の仕方は自由である。同図（ｂ）のようにクラウン部1ａには共通の情報２を刻設し、ステープル１の脚部１ｂに連番３を刻設する構成であってもよい。
【００１３】
次に、図３および図４に示されるように、上記構成のステープル１で秘密にすべき類の重要文書４や重要物件５が収納されている包袋６の口を綴じる。綴じる道具は通常のステープラでよい。綴じ位置や綴じ方に特別のルールはない。
【００１４】
上記構成のステープル１による綴じ方法によれば、ステープル１自体は非常に小さく、目立つものではないほか、その表面に刻設表示された文字、数字、記号等の特定情報２は微小であり、肉眼で読み取ることはできない。ステープル１の裏面に刻設されている場合は、外部からは見ることさえできない。このため、ステープル１になにか特別の情報２が表示されていることに注意する可能性は非常に低く、ステープル１は無視されがちである。ステープル１を外しても、それが特別のステープル１であることさえ気がつくことは稀である。
【００１５】
ところで、悪意者が文書４の一部を差し替えたり、包袋６の内容物件５一部又は全部を入れ替えたりして偽造、変造または改ざんするためには、まずステープル１を外す必要がある。ところが、いったん上記ステープル１を外して偽造、変造または改ざん後に他のステープル１で綴じると、たとえ同じ綴じ位置で綴じて見掛け上は同じに見えても、綴じ代えたステープル１は元のステープル１とは全く異なるから、綴じられている文書も真正な文書でないことを簡単に知ることができる。
【００１６】
仮に、悪意者がステープル１上に特別の文字、記号等が刻設されていることに気がついても、その場で他のステープルに同じ文字、記号等を刻設することはできないから、偽造、変造または改ざん行為を未遂に終わらせることができる。
【００１７】
重要文書４を丸ごと交換する場合も、新しい文書は別のステープルで綴じられているから、たとえ内部の印影が精巧に作られていても、簡単に真偽を判別することができる。
【００１８】
したがって、重要文書４が変造、偽造、改ざんされたり、内容物が入れ替えられたりしたことを、容易かつ確実に知ることができ、その真偽を安価な手段で判別することによって不利な結果を有効に回避することができる。
【００１９】
なお、取り外したステープル１を使って再び同じ位置で綴じることを防止するため、ステープルの脚部を一度折り曲げて綴じた状態から再び折り返した場合は、ステープルが破損して再び綴じられないように構成するのが好ましい。
【図面の簡単な説明】
【００２０】
【図１】（ａ）（ｂ）は本発明に係るステープルおよび連結ステープルの斜視図である。
【図２】（ａ）（ｂ）は他の例のステープルおよび連結ステープルの斜視図である。
【図３】上記ステープルで綴じた文書の斜視図である。
【図４】上記ステープルで綴じた包袋の斜視図である。
【符号の説明】
【００２１】
１    ステープル
２    特定情報
４    文書
６    包袋
【図１】
2006142409.tif 000003
【図２】
2006142409.tif 000004
【図３】
2006142409.tif 000005
【図４】
2006142409.tif 000006